(57)【特許請求の範囲】
【請求項１】
網戸枠における側枠と可動框との間に張設するネットを、該可動框に回転自在に支持させて内部にコイル状の巻取りスプリングを収容した巻取軸に該スプリングの付勢力で巻取り、該ネットを横引きにより開閉できるようにした横引きロール網戸において、
上記可動框は、上記巻取軸を収容するケースの上下両端に上記巻取軸を回転自在に支持する第１及び第２のキャップを着脱可能に取付け、少なくとも上記ケースの上端に取付ける第１のキャップは網戸枠の上レールに摺動自在に支持させ、
上記第１及び第２のキャップを除く可動框、その巻取軸に巻取るネット及び該ネットの他端に固定する側枠は、外形状が実質的に上下対称形状をなすように構成して、上記第１及び第２のキャップを互いに交換可能とし、
上記巻取軸の内部に収容された巻取りスプリングは、その一端が該巻取軸に連結され、その他端が、上記第１または第２のキャップと回転不能かつ抜脱可能に連結される中間支持部材に固定され、上記巻取軸の一端に連結した連結筒軸と上記中間支持部材との間に、それらの相対的回転を一時的に不能にするロック機構が設けられている、
ことを特徴とする横引きロール網戸。
【請求項２】
上記ロック機構が、連結筒軸に設けた開口において支持ピンによりロックレバーを回動自在に支持させ、該ロックレバーの基端に、該レバーが起立したロック位置への回動により上記中間支持部材の外周に設けた多数の凹部のいずれかに係合する係合部を設けることにより構成され、
上記位置において連結筒軸及び巻取軸の巻取りスプリングによる回転をロック可能にした、
ことを特徴とする請求項１に記載の横引きロール網戸。
【請求項３】
上記第１及び第２のキャップの少なくとも一方に、巻取軸と連動して回転するピニオンを備えた筒部材を支持させ、
網戸枠の横枠における該ピニオンとの対向面で、上記ネットの完全な張設状態またはその直前を含んで該ピニオンが対向する部位に、該ピニオンと噛み合ってネットの張設時に巻取軸を該ネットの繰り出し方向に回転させるラックを付設した、
ことを特徴とする請求項１または２に記載の横引きロール網戸。
【請求項４】
上記筒部材がピニオンとそれに一体の嵌着部とで構成され、該嵌着部が上記巻取軸と連結した連結筒軸と該巻取軸の他端とに、それぞれ回転不能かつ抜脱可能に連結可能である、
ことを特徴とする請求項３に記載の横引きロール網戸。
【請求項５】
上記ピニオンの外径を上記巻取軸の外径よりも大径に形成した、
ことを特徴とする請求項４に記載の横引きロール網戸。
【請求項６】
上記第１のキャップは、上記転輪を回転自在に取付けた頭部と、断面形状が一定の可動框のケースの上下いずれの端部にも着脱自在に連結できる連結筒部と、該連結筒部の内方にあって巻取軸またはそれに連結した部材を回転自在に支持する軸支持部と、該軸支持部の先端から延出するスプライン軸状の先端軸部とを有し、
上記第２のキャップは、上記ケースの上下いずれの端部にも着脱自在に連結できる連結筒部と、該連結筒部の内方にあって巻取軸またはそれに連結した部材を回転自在に支持する軸支持部と、該軸支持部の先端から突出するところの、上記第１のキャップにおける先端軸部と同形のスプライン軸状の先端軸部とを有し、
上記第１及び第２のキャップの各先端軸部が、中間支持部材に対して回転不能で抜脱可能である、
ことを特徴とする請求項１または２に記載の横引きロール網戸。
【請求項７】
上記請求項６に記載の第１及び第２のキャップの軸支持部に回転自在に支持されるところの巻取軸に連結した部材が、ピニオンとそれに一体の嵌着部とを有し、該嵌着部が連結筒軸を介して巻取軸に連結されている筒部材である、
ことを特徴とする横引きロール網戸。
【請求項８】
上記連結筒軸の端部内面に、筒部材の嵌着部の表面に設けた凸条と相互に嵌合する凹溝を設けることにより、それらを相互に回転不能で抜脱可能に連結すると共に、上記巻取軸の端部内面にも上記連結筒軸の端部内面と同様の凹溝を設けて、上記筒部材の嵌着部と相互に回転不能で抜脱可能に連結可能とし、
上記第２のキャップの軸支持部に対しては、上記筒部材の嵌着部及び巻取軸を回転自在で抜脱可能に支持させた、
ことを特徴とする請求項４及び５、並びに請求項６に従属する請求項７のいずれかのいずれかに記載の横引きロール網戸。
【発明の詳細な説明】
【技術分野】
【０００１】
本発明は、ネットを横引きにより開閉自在としたロール網戸に関するものであり、さらに具体的には、網戸枠における側枠と可動框との間に張設され、該可動框に支持させた巻取軸にスプリングの付勢力で巻取られるようにした横引き網戸のネットにおける開閉の左右勝手を、容易に変更可能にした横引きロール網戸に関するものである。
【背景技術】
【０００２】
網戸枠における側枠と可動框との間に、該可動框に回転自在に支持させた巻取軸にスプリングの付勢力で巻取られるネットを横引きにより開閉可能に張設した横引きロール網戸は、例えば、特開２００２−１６８０７０号公報に開示されているように従来公知である。
また、建物開口部の扉に合わせて横引き網戸の左右勝手を設定し、あるいは変更する場合、網戸の上下をそのままにして表裏を反転させたり、あるいは表裏をそのままにして上下を反転させることも従来から知られている。【０００３】
しかし、上記可動框の巻取軸にネットを巻取るタイプの横引きロール網戸は、外観上表裏対称形状でないものや可動框の上下端に取付けるのキャップの形状が異なるものが多く、そのため、網戸を表裏反転させたりあるいは上下反転させるだけでは左右勝手を変更することができないものであり、何らかの分解、再組立てで上記左右勝手を変更可能にする必要がある。しかも、可動框にスプリングの付勢力でネットを巻取る巻取軸を収容しているため、分解時にスプリングの付勢力が解放される場合もあり、熟練者でなければ作業に危険を伴うことにもなる。【０００４】
更に、従来の横引きロール網戸は、ネットを張設した状態で該ネットに風等の外力が作用すると、その外力により該巻取軸がスプリングの付勢力に抗してそこに残っているネットを繰り出す方向に回転してしまい、その結果、ネットが弧状に張って網戸の上下の横枠から脱離してしまうため、防虫性を必ずしも良好に保持できない、という問題がある。この問題を解決するためには、ネットの張設時に巻取軸の回転を不能にする巻取軸固定手段を付加することが望まれるが、上記ネットの開閉の左右勝手を変更する場合には、この固定手段を含めて左右勝手の変更を可能にする必要がある。
【発明の開示】
【０００５】
本発明の課題は、上記問題を解決し、網戸枠における側枠と可動框との間に、該可動框に支持させた巻取軸にスプリングの付勢力で巻取られるネットを、横引きにより開閉可能に張設した横引きロール網戸において、簡単かつ安全に左右勝手を設定し、あるいは変更することができる横引きロール網戸を提供することにある。
【０００６】
本発明の他の課題は、特別の工具を使用することなく、素人でも簡単かつ安全に左右勝手を設定し、あるいは変更することができる横引きロール網戸を提供することにある。
本発明の他の課題は、ネットの張設状態において該ネットに風等の外力が作用して該ネットが弧状に張るのを抑止するための巻取軸固定手段を付加したものにおいて、当該固定手段を含めて、上記ネットの開閉の左右勝手を変更可能にした横引きロール網戸を提供することにある。
【０００７】
上記課題を解決するため、本発明は、網戸枠における側枠と可動框との間に張設するネットを、該可動框に回転自在に支持させて内部にコイル状の巻取りスプリングを収容した巻取軸に該スプリングの付勢力で巻取り、該ネットを横引きにより開閉できるようにした横引きロール網戸において、上記可動框は、上記巻取軸を収容するケースの上下両端に上記巻取軸を回転自在に支持する第１及び第２のキャップを着脱可能に取付け、少なくとも上記ケースの上端に取付ける第１のキャップは網戸枠の上レールに摺動自在に支持させ、上記第１及び第２のキャップを除く可動框、その巻取軸に巻取るネット及び該ネットの他端に固定する側枠は、外形状が実質的に上下対称形状をなすように構成して、上記第１及び第２のキャップを互いに交換可能とし、上記巻取軸の内部に収容された巻取りスプリングは、その一端が該巻取軸に連結され、その他端が、上記第１または第２のキャップと回転不能かつ抜脱可能に連結される中間支持部材に固定され、上記巻取軸の一端に連結した連結筒軸と上記中間支持部材との間に、それらの相対的回転を一時的に不能にするロック機構が設けられていることを特徴とするものである。
【０００８】
上記構成を有する本発明の横引きロール網戸においては、第１及び第２のキャップを除く可動框、該可動框内の巻取軸に巻取るネット及び該ネット端に固定した側枠の外形状を、実質的に上下対称形状とし、可動框の両端の第１及び第２のキャップを互いに交換できるようにしているので、可動框に支持させた巻取軸にスプリングの付勢力で巻取られるネットを横引きにより開閉可能にした網戸における開閉の左右勝手を、建物開口部の扉に合わせて自由に設定し、あるいは変更することができ、特別の工具を使用する必要もない。しかも、可動框に支持させた巻取軸にネットをスプリングの付勢力で巻取るが、そのスプリングの付勢力を上記中間支持部材と連結筒軸との間に設けたロック機構でロック状態に保持することによって、巻取軸が回転できなくなるようにしているため、巻取りスプリングに回転付勢力が蓄積されている状態で可動框の両端から第１及び第２のキャップを取外しても、ネットが巻取られることはなく、そのため、可動框の両端の第１及び第２のキャップを互いに交換して上下反転させ、網戸の設置あるいは左右勝手を変更する作業を安全かつ容易に行うことができる。
【０００９】
上記ロック機構を非ロック状態にしたときには、巻取りスプリングの回転付勢力が巻取軸に作用してネットが巻取られ、また、上記可動框をネットを引き出す方向に移動させると、巻取りスプリングに回転付勢力が蓄積される。
【００１０】
本発明のロール網戸の好ましい実施形態においては、上記ロック機構が、連結筒軸に設けた開口において支持ピンによりロックレバーを回動自在に支持させ、該ロックレバーの基端に、該レバーが起立したロック位置への回動により上記中間支持部材の外周に設けた多数の凹部のいずれかに係合する係合部を設けることにより構成される。このロックレバーにより、上記ロック位置において連結筒軸及び巻取軸の巻取りスプリングによる回転をロックすることが可能になる。しかも、ロックレバーを回動させるだけで、ロック機構を簡単にロック状態にしたりロック状態を解除できるため、特別の工具を使用する必要もなく、素人でも簡単かつ安全に横引きロール網戸の左右勝手を変更することができる。
【００１１】
本発明の横引きロール網戸の他の好ましい実施形態においては、上記第１及び第２のキャップの少なくとも一方に、巻取軸と連動して回転するピニオンを備えた筒部材を支持させ、網戸枠の横枠における該ピニオンとの対向面で、上記ネットの完全な張設状態またはその直前を含んで該ピニオンが対向する部位に、該ピニオンと噛み合ってネットの張設時に巻取軸を該ネットの繰り出し方向に回転させるラックが付設される。
【００１２】
この構成により、上記可動框がネットを完全に張設した位置にあるときには、巻取軸に固定したピニオンと網戸枠の横枠のラックとが相互に噛合するので、ネットに風等の外力が作用しても、該ネットに引っ張られて巻取軸がネットの繰り出し方向に回転するのを抑止することができる。上記ピニオンは、その外径を上記巻取軸の外径よりも大径に形成することが、張設したネットをできるだけ緊張状態に保持するために望まれる。
【００１３】
更に、本発明の好ましい実施形態においては、上記筒部材が、ピニオンとそれに一体の嵌着部とで構成され、該嵌着部が上記巻取軸と連結した連結筒軸と該巻取軸の他端とに、それぞれ回転不能かつ抜脱可能に連結可能なものとして構成される。これにより、ネットの張設状態において該ネットに風等の外力が作用して該ネットが弧状に張るのを抑止するための巻取軸固定手段、即ち上記ピニオンとラックとを設けた横引きロール網戸において、当該固定手段を含めて、上記ネットの開閉の左右勝手を変更可能にしすることができる。
【００１４】
また、本発明の横引きロール網戸の好ましい実施形態においては、上記第１のキャップは、上記転輪を回転自在に取付けた頭部と、断面形状が一定の可動框のケースの上下いずれの端部にも着脱自在に連結できる連結筒部と、該連結筒部の内方にあって巻取軸またはそれに連結した部材を回転自在に支持する軸支持部と、該軸支持部の先端から延出するスプライン軸状の先端軸部とを有し、上記第２のキャップは、上記ケースの上下いずれの端部にも着脱自在に連結できる連結筒部と、該連結筒部の内方にあって巻取軸またはそれに連結した部材を回転自在に支持する軸支持部と、該軸支持部の先端から突出するところの、上記第１のキャップにおける先端軸部と同形のスプライン軸状の先端軸部とを有するものとし、上記第１及び第２のキャップの各先端軸部が、中間支持部材に対して回転不能で抜脱可能に構成される。上記両キャップの軸支持部に回転自在に支持されるところの巻取軸に連結した部材としては、通常、ピニオンとそれに一体の嵌着部とを有し、該嵌着部が連結筒軸を介して巻取軸に連結される筒部材が用いられる。
【００１５】
更に、本発明においては、上記連結筒軸の端部内面に、筒部材の嵌着部の表面に設けた凸条と相互に嵌合する凹溝を設けることにより、それらを相互に回転不能で抜脱可能に連結すると共に、上記巻取軸の端部内面にも上記連結筒軸の端部内面と同様の凹溝を設けて、上記筒部材の嵌着部と相互に回転不能で抜脱可能に連結可能とし、上記第２のキャップの軸支持部に対しては、上記筒部材の嵌着部及び巻取軸を回転自在で抜脱可能に支持させることが望まれる。
【発明を実施するための最良の形態】
【００１６】
図面は、本発明に係る横引きロール網戸の一実施例を示している。
この横引きロール網戸は、図１〜図３に示すように、建物開口枠２に取付けて使用するもので、網戸の設置に際してネットの開閉の左右勝手を任意に設定し、あるいは、設置後に適宜変更可能にしたものである。上記建物開口枠２は、左右の開口側枠２ａ，２ｂ、及び開口上枠２ｃを備え、必要に応じて下枠を備えることになるが、ここでは、建物開口部に設置されたサッシの下枠３を利用して網戸を保持させる場合を例示している。【００１７】
上記建物開口枠２に取付ける網戸枠としては、少なくとも、該建物開口枠２の開口上枠２ｃに取付けられる横枠としての上レール４と、一方の開口側枠２ａに固定してロール網戸のネット８の一端を保持させる側枠６とが設けられる。また、上記ネット８の他端を巻取る巻取軸１３を可動框１０のケース１０ａの内部に収容し、その巻取軸１３を該可動框１０のケース１０ａの上下端に設けた第１及び第２のキャップ１１，１２間に回転自在に支持させている。上記ケース１０ａは、断面形状が一定で建物開口枠２側にネット８の導出等のための開口部１０ｂを有するものである。この可動框１０は、上記第１のキャップ１１の頭部１１ａに回転自在に取付けた一対の転輪１１ｂを介して、上記上レール４に設けた転動面４ａ上に移動可能に吊下げている。【００１８】
建物開口枠２の開口側枠２ｂには、前記側枠６に対向する側枠を設けてもよいが、図３に示すように、上記可動框１０に設けた掛け具１５を係止する係止部１６ａを備えた係止部材１６を、上記開口側枠２ｂに直接的に取付けることもできる。この場合に、網戸の設置後の左右勝手の変更を考慮するときは、該係止部材１６をネジ等の固着手段で着脱自在に取付ける必要がある。上記側枠６に対向する側枠を設ける場合には、それに係止部材１６を設けることになるが、この場合にも必要に応じて当該側枠自体を着脱自在にする必要がある。【００１９】
上記横引きロール網戸は、概略的には、図１及び図５に示すように、可動框１０が巻取軸１３を収容した巻取りボックスとして構成され、上記巻取軸１３を第１のキャップ１１及び第２のキャップ１２を介して可動框１０に回転自在に支持させ、該巻取軸１３の内部に収容したコイル状の巻取りスプリング１４の付勢力で、一端が巻取軸１３に取付けられたネット８を巻取るようにし、該ネット８の他端を側枠６に取付けて、該ネット８を上記側枠６と可動框１０との間に横引きにより張設可能にしたものである。【００２０】
上記可動框１０の構成について更に詳細に説明すると、まず、上記第１のキャップ１１は、図１及び図２に示すように、上記一対の転輪１１ｂを回転自在に取付けた頭部１１ａと、図５に明瞭に示すように、断面形状が一定の可動框１０のケース１０ａの上下いずれの端部にも着脱できる連結筒部１１ｃと、該連結筒部１１ｃの内方にあってそれと同軸に配設された軸支持部１１ｄと、該軸支持部１１ｄの先端から延出するスプライン軸状の先端軸部１１ｅとを有し、この第１のキャップ１１自体の中心軸線周りの回転は上レール４との接触により抑制され、転輪１１ｂが該上レール４の転動面４ａに沿って転動可能に載置されている。【００２１】
また、上記第２のキャップ１２は、底部１２ａから起立して、上記第１のキャップ１１の連結筒部１１ｃと同様に、上記可動框１０のケース１０ａの上下いずれの端部にも着脱できる連結筒部１２ｂと、該連結筒部１２ｂの内方にあって巻取軸１３を回転自在に支持する軸支持部１２ｃと、該軸支持部１２ｃの先端から突出するスプライン軸状の先端軸部１２ｄとを有している。この先端軸部１２ｄの周面形状は、前記第１のキャップ１１における先端軸部１１ｅと同形である。【００２２】
この第２のキャップ１２は、その連結筒部１２ｂが異形断面のケース１０ａに嵌着しているために第１のキャップ１１と同様に中心軸線周りの回転が抑止されているが、図２に示すように、可動框１０のケース１０ａにおけるこの第２のキャップ１２に近接した位置に、該ケース１０ａの側壁にガイド溝１０ｄを有するガイド部材１０ｃを設け、該ガイド溝１０ｄをサッシの下枠３の上面に設けた下レール３ａに摺動可能に係合させることによりガイドさせており、この点でも第２のキャップの回転が抑止されるようにしている。【００２３】
上記ガイド部材１０ｃは、網戸の開閉の左右勝手の変更のために可動框１０のケース１０ａを上下反転させる場合には、該ケース１０ａの他方端に取付ける必要があり、そのため、上記ケース１０ａに対するガイド部材１０ｃの取付けは、着脱自在であることが必要である。上記ガイド部材１０ｃは第２のキャップ１２に設けることもできる。なお、この実施例では上記ネット８の下端部も、上記可動框１０と同様にサッシの下枠３の側面に当ててガイドさせている。【００２４】
上記第１のキャップ１１及び第２のキャップ１２は、互いに交換可能にしているが、後述する図９及び図１０から分かるように、可動框１０やネット等を上下反転させてネットの開閉の左右勝手を変更したとき、上記第１及び第２のキャップ１１，１２の左右の向きも変更する必要があり、そのため、図５において実質的に前後を対称形状に形成し、その向きを変更しても上記ケース１０ａに装着できるようにしている。但し、上記ケース１０ａが、第１及び第２のキャップ１１，１２の向きを変更してもそれらが装着できる形状である場合には、上述のように両キャップ１１，１２を対称形状とする必要はない。【００２５】
図４及び図５に明瞭に示すように、上記第１のキャップ１１の軸支持部１１ｄには、周囲にピニオン１８ａを付設した筒部材１８の嵌着部１８ｂを回転自在に嵌合し、該筒部材１８には、連結筒軸２０を介して上記巻取軸１３を一体回転するように連結している。【００２６】
即ち、上記連結筒軸２０は、図８に示すように、その端部内面に凹溝２０ａを設け、該凹溝２０ａを筒部材１８の嵌着部１８ｂの表面に設けた該凹溝２０ａに適合する凸条（図示省略）と嵌め合わせることにより、それらを抜脱できるが相互に回転不能に連結している。上記連結筒軸２０に対する巻取軸１３の固定も、巻取軸１３の軸線方向に伸びる同様な形状の凹溝１３ａ（図３参照）と該連結筒軸２０おける嵌合筒部２０ｂにおける凸条２０ｃの嵌め合わせで行われる。従って、巻取軸１３は連結筒部２０及び筒部材１８を介して第１のキャップ１１の軸支持部１１ｄに回転自在に支持されることになる。また、該巻取軸１３の他端も第２のキャップ１２の軸支持部１２ｃに回転自在に支持される。【００２７】
上記第１のキャップ１１における軸支持部１１ｄの先端から延出するスプライン軸状の先端軸部１１ｅには、図５〜図８に示すように、内面に該軸部１１ｅにスプライン嵌合する係合溝２１ｂをもった中間支持部材２１の嵌着部２１ａを、挿脱自在に嵌挿している。この中間支持部材２１の嵌着部２１ａは、上記先端軸部１１ｅと同形状の第２のキャップ１２の先端軸部１２ｄともスプライン結合可能なものである。また、該中間支持部材２１は、上記嵌着部２１ａに連なる軸部２１ｃの周囲に、後述するロックレバー２７の基端の係合部２７ａが係合する多数の凹部２１ｄを設け、更に、該軸部２１ｃに連なるスプリング受け部２１ｅの外周に、上記巻取りスプリング１４の端部を固定するための螺旋溝２１ｆを設けて、それに巻取りスプリング１４の端部を螺入・固定すると共に、該スプリング受け部２１ｅ内にスプリング軸２３を挿入し、それをピン２５で固定している。上記スプリング軸２３は、その先端にスプリング受け２４を回転及び摺動自在に嵌挿し、該スプリング受け２４の螺旋溝２４ａに上記巻取りスプリング１４の端部を固定している。このスプリング受け２４は、その外周面に軸方向に延びる一対の凸条２４ｂを有し、該凸条２４ｂは上記巻取軸１３の内周面に設けた軸方向に延びる凹溝１３ａ（図３）に摺動自在に挿入させている。【００２８】
このように、中間支持部材２１を介して一端が上記第１のキャップ１１に固定された巻取りスプリング１４の他端が、上記スプリング受け２４を介して巻取軸１３に連結されているので、上記巻取りスプリング１４に回転付勢力が蓄積されているときにはその付勢力が常に巻取軸１３に作用することになり、該付勢力に抗してネット８を保持していなければネット８は巻取られることになる。【００２９】
また、上記筒部材１８における嵌着部１８ｂの凸条は、網戸開閉の左右勝手を変更するために上記巻取軸１３を連結筒部２０及び中間支持部材２１等と共に上下反転させた場合（図９及び１０参照）に、図９（図５と同じ）の状態では巻取軸１３の下端になっていた該軸端内周面の凹溝１３ａに嵌め合わせることができるものであり、即ち、上記筒部材１８は、上記巻取軸１３に対して抜脱できるが相互に回転不能に、直接連結することができるものである。【００３０】
上記連結筒軸２０は、巻取軸１３のロック機構として、図５〜図８に示すように、該連結筒軸２０の周壁の一部に設けた開口２０ｄ内に支持ピン２６により回動自在に支持されたロックレバー２７を有し、該ロックレバー２７の外方への傾倒時に、その基端の係合部２７ａが前記中間支持部材２１における軸部２１ｃの周囲に設けた多数の凹部２１ｄのいずれかに係合するようにした機構を備えている。【００３１】
上記ロックレバー２７は、図７に示すように、それを外方に傾倒させて巻取軸１３の表面に起立させたときには、その基端の係合部２７ａが上記中間支持部材２１側に突出し、その中間支持部材２１の外周に設けた多数の凹部２１ｄのいずれかに係合するため、上記中間支持部材２１と巻取軸１３に連結した連結筒軸２０とが相互に回転できないようにロックされる。また、図６に示すように、上記ロックレバー２７を連結筒軸２０の表面と平行になるように回動させると、上記ロックレバー２７の基端の係合部２７ａと中間支持部材２１の外周の凹部２１ｄとの係合が解除されるため、上記中間支持部材２１と上記連結筒軸２０とを相互に回転できる状態にすることができる。【００３２】
上記巻取軸１３は、その上下を反転させて開閉の左右勝手を変更するものであるが、上述したところから分かるように、その巻取軸１３の内部機構は上下対称形状をなしていない。しかしながら、第１及び第２のキャップ１１，１２を除く可動框１０、その巻取軸１３に巻取るネット８及び該ネット８の端部に固定する側枠６は、外形状が実質的に上下対称形状をなすように構成して、上記第１及び第２のキャップ１１，１２を互いに交換可能とし、巻取軸１３の内部機構が上下逆になってもその機能を発揮できるようにしているので、何ら支障なく巻取軸等の反転により左右勝手を変更することができる。【００３３】
上述したところから分かるように、ネット８の完全な展張状態においては、巻取軸１３に内蔵されたスプリング１４に付勢力が蓄積されて、ネット８が張設されているため、該ネット８はスプリング１４の最大付勢力で緊張状態に保持されているが、その最大付勢力をあまり大きくすると操作性に問題が生じ、一方、その付勢力があまり小さいとネット８に作用する風等の外力によって該ネット８が風下側に膨らむことになる。【００３４】
そこで、この問題を解決するため、図１及び図４に示すように、開口上枠２ｃに取付けられる上レール４おける前記ピニオン１８ａとの対向面で、上記ネット８の完全な張設状態またはその直前を含んで該ピニオンが対向する部位に、巻取軸１３と連動して回転する上記筒部材１８上のピニオン１８ａが噛合するラック３０を設け、それに噛合したピニオン１８ａ、即ち、それに固定されている巻取軸１３の回転を拘束するようにしている。該ラック３０は、ピニオン１８ａと噛み合ってネット８の張設時に巻取軸１３を該ネット８の繰り出し方向に回転させるように配設されたものである。なお、上記ピニオンを備えた筒部材は、第２のキャップ１２側にも設けることができる。
従って、巻取軸１３にネット８がほぼ巻き取られた時点で上記筒部材１８のピニオン１８ａがラック３０に噛合し、その後は巻取軸１３が該ラック３０に噛合するピニオン１８ａで駆動される。【００３５】
巻取軸１３の回転がラック３０とピニオン１８ａの噛合で拘束される範囲をある程度とった場合、ピニオン１８ａの外径と巻取軸１３の巻き径に差があれば、その噛合範囲内では、巻取軸１３の移動量とネット８の繰り出し量との間に差が生じることになる。即ち、両者の径がほぼ同一であれば巻取軸１３の移動量とネット８の繰り出し量がほぼ同じであるため、ネット８の緊張状態に変動が生じないが、ピニオン１８ａが巻取軸１３よりもよりも大径に形成されていれば、巻取軸１３の移動量よりもネット８の繰り出し量が少なくなるため、ネット８が次第に緊張状態になる。そのため、最終的なネット８の緊張状態を考慮して上記ピニオンの径やラック３０の長さを設定するべきである。例えば、ピニオン１８ａとラック３０が噛合しながら移動する間に、ネット８の余分な弛みとなる部分を全て巻取軸１３に巻取るように設定すれば、可動框１０がネット８の完全な張設端に達した時点で、該ネット８を弛みの無い緊張状態にすることができる。
なお、図２〜図４における符号３５は、可動框１０を移動させる際に用いる取手を示している。【００３６】
上記構成を有する横引きロール網戸は、建物開口部の扉に合わせて開閉の左右勝手を設定し、あるいは変更できるようにしたもので、図１〜図５に示す状態からその左右勝手を変更するに際しては、まず、巻取軸１３に巻いたネット８を全て引き出した状態にして、ロックレバー２７をケース１０ａの開口部１０ｂ側において露出させ、図５及び図７に示すように、上記ロックレバー２７を外方に傾倒させて、該レバー２７の基端の係合部２７ａを中間支持部材２１の外周の凹部２１ｄと係合させることにより、上記巻取軸１３と連結した連結筒軸２０を中間支持部材２１に対してロックした状態にする。そして、この状態で、建物開口枠２から上記側枠６、ネット８及び可動框１０を、それらが一体的に連結された状態で取外す。【００３７】
その後、図９に示すように、可動框１０におけるケース１０ａ及び巻取軸１３の両端から第１のキャップ１１及び第２のキャップ１２を取外すが、上記連結筒軸２０及び巻取軸１３が中間支持部材２１に対し回転できないようにロックされているため、第１のキャップ１１及び第２のキャップ１２を取外しても、巻取りスプリング１４に蓄積された回転付勢力により、巻取軸１３に連結した連結筒軸２０と中間支持部材２１とが相対的に回転することはない。そのため、上記作業は簡易に、しかも安全に行うことができる。【００３８】
次いで、図１０に示すように、上記側枠６、ネット８及び可動框１０をそれらが一体的に連結されている状態で上下反転させて左右勝手を変更し、上記可動框１０の入れ換わった上下端に上記第１のキャップ１１及び第２のキャップ１２をそれぞれ向きを変えて取付け、該左右勝手を変更した側枠６、ネット８及び可動框１０を上記建物開口枠２に取付けてから、上記ロックレバー２７を巻取軸と平行になるように回動させて、上記連結筒軸２０のロック状態を解除する。
したがって、上記構成を有する横引きロール網戸は、可動框１０の両端の第１及び第２のキャップ１１，１２を互いに交換して上下反転させる作業を簡単かつ安全に行うことができ、これにより横引きロール網戸の左右勝手を簡単かつ安全に、特殊の工具を用いることなく変更することができる。【００３９】
なお、上記実施例の横引きロール網戸では、網戸枠を構成する上レール４と側枠６とが建物開口枠２の外側に位置するように取付けられ、上記可動框１０の下端部がガイド部材１０ｃを介してサッシの下枠３に設けた下レール３ａに摺動可能に係合すると共に、上記ネット８及び可動框１０の下端部を上記下枠３の側面に当ててガイドさせているが、このような構成とすることにより、上記ネット８及び可動框１０を、サッシの下枠３をそのまま利用した簡単で安価な構成によりガイドすることができる。
【図面の簡単な説明】
【００４０】
【図１】本発明に係る横引きロール網戸の一実施例を示す正断面図である。
【図２】図１のＡ−Ａ線における断面図である。
【図３】図１のＢ−Ｂ線における断面図である。
【図４】図１のＣ−Ｃ位置におけるピニオンとラックの噛合状態を示す断面図である。
【図５】図１の要部を拡大した部分断面図である。
【図６】巻取りスプリングのロック機構における非ロック状態を示す部分拡大斜視図である。
【図７】同ロック機構のロック状態を示す部分拡大斜視図である。
【図８】巻取軸の内部構造を示す分解拡大斜視図である。
【図９】可動框の両端から第１及び第２のキャップを取外した状態を示す説明図である。
【図１０】上下反転させた可動框のケースの両端に第１及び第２のキャップを交換して取付ける状態を示す説明図である。
【符号の説明】
【００４１】
２              建物開口枠
２ａ，２ｂ      開口側枠
２ｃ            開口上枠
３              サッシの下枠
３ａ            下レール
４              上レール
４ａ            転動面
６              側枠
８              ネット
１０            可動框
１０ａ          ケース
１０ｂ          開口部
１０ｃ          ガイド部材
１０ｄ          ガイド溝
１１            第１のキャップ
１１ａ          頭部
１１ｂ          転輪
１１ｃ          連結筒部
１１ｄ          軸支持部
１１ｅ          先端軸部
１２            第２のキャップ
１２ａ          底部
１２ｂ          連結筒部
１２ｃ          軸支持部
１２ｄ          先端軸部
１３            巻取軸
１３ａ          凹溝
１４            巻取りスプリング
１５            掛け具
１６            係止部材
１６ａ          係止部
１８            筒部材
１８ａ          ピニオン
１８ｂ          嵌着部
２０            連結筒軸
２０ａ          凹溝
２０ｂ          嵌合筒部
２０ｃ          凸条
２０ｄ          開口
２１            中間支持部材
２１ａ          嵌着部
２１ｂ          係合溝
２１ｃ          軸部
２１ｄ          凹部
２１ｅ          スプリング受け部
２１ｆ          螺旋溝
２３            スプリング軸
２４            スプリング受け
２４ａ          螺旋溝
２４ｂ          凸条
２５            ピン
２６            支持ピン
２７            ロックレバー
２７ａ          係合部
３０            ラック
３５            取手  
【図１】
0004685002.tif 000002
【図２】
0004685002.tif 000003
【図３】
0004685002.tif 000004
【図４】
0004685002.tif 000005
【図５】
0004685002.tif 000006
【図６】
0004685002.tif 000007
【図７】
0004685002.tif 000008
【図８】
0004685002.tif 000009
【図９】
0004685002.tif 000010
【図１０】
0004685002.tif 000011